【手続補正書】
【提出日】平成27年9月11日(2015.9.11)
【手続補正１】
【補正対象書類名】特許請求の範囲
【補正対象項目名】全文
【補正方法】変更
【補正の内容】
【特許請求の範囲】
【請求項１】
動画像データを受信装置に送信する送信装置であって、
動画像データを取得するための要求と、その要求に対応する、画像の一部又は全体の閲覧を制限するか決定するために用いる設定情報とを受信する受信手段と、
前記受信手段によって受信される前記設定情報に応じて、前記要求によって指定される前記動画像データを構成する画像の一部又は全体の閲覧が制限された動画像データ、又は、前記要求によって指定される前記動画像データを構成する画像の閲覧が制限されない動画像データを受信装置に送信する送信手段
を有することを特徴とする送信装置。
【請求項２】
前記要求は、前記動画像データを指定するための指定情報の送信を要求する送信要求であることを特徴とする請求項１記載の送信装置。
【請求項３】
前記設定情報は、前記指定情報によって指定される前記動画像データを構成する画像の一部又は全体の閲覧が制限された動画像データを前記受信装置に送信する指示、又は、前記指定情報によって指定される前記動画像データを構成する画像の閲覧が制限されない動画像データを前記受信装置に送信する指示を含むことを特徴とする請求項２記載の送信装置。
【請求項４】
前記設定情報は、前記指定情報によって指定される前記動画像データを構成する画像の一部又は全体の閲覧が制限された動画像データを前記受信装置に送信するか、前記指定情報によって指定される前記動画像データを構成する画像の閲覧が制限されない動画像データを前記受信装置に送信するかを前記送信装置に決定させる指示を含むことを特徴とする請求項２又は３に記載の送信装置。
【請求項５】
前記設定情報は、前記送信要求を送信した受信装置を識別するための識別情報を含むことを特徴とする請求項１〜４のいずれか１項に記載の送信装置。
【請求項６】
前記動画像データを構成する画像の一部又は全体の閲覧の制限内容を設定する制限設定を保持する保持手段を有し、
前記送信装置は、制限を行うか決定するために用いる前記設定情報を受信した場合に前記保持手段に前記制限設定が保持されていない場合には、前記受信装置にエラー応答を送信することを特徴とする請求項１〜５のいずれか１項に記載の送信装置。
【請求項７】
前記受信手段は、前記動画像データを構成する画像の一部又は全体の閲覧が制限された動画像データを受信するための設定、又は、前記動画像データを構成する画像の閲覧が制限されない動画像データを受信するための設定を前記送信装置に対して行うことができるかを問合わせるための問合せ要求を前記受信装置から受信することを特徴とする請求項１〜６のいずれか１項に記載の送信装置。
【請求項８】
前記動画像データを構成する画像の閲覧が制限されない動画像データを受信するための設定を前記送信装置に対して行う権限を有する第１の受信装置の識別情報と、前記動画像データを構成する画像の閲覧が制限されない動画像データを前記受信するための設定を前記送信装置に対して行う権限を有さない第２の受信装置の識別情報とを保持する保持手段を有し、
前記受信手段は、前記問合せ要求を送信した受信装置を識別するための識別情報を受信し、
前記送信手段は、前記受信手段が受信した前記識別情報と、前記保持手段に保持された識別情報とに基づいて、前記動画像データを構成する画像の閲覧が制限されない動画像データを受信するための設定を前記送信装置に対して行うことができるかを示す応答を、前記問合せ要求を送信した受信装置に送信することを特徴とする請求項７記載の送信装置。
【請求項９】
前記送信手段は撮像手段が撮像した動画像データを前記受信装置に送信することを特徴とする請求項１〜８のいずれか１項に記載の送信装置。
【請求項１０】
前記動画像データを構成する画像の一部又は全体にマスク画像を重畳されることにより、前記動画像データを構成する画像の一部又は全体の閲覧が制限されることを特徴とする請求項１〜９のいずれか１項に記載の送信装置。
【請求項１１】
前記受信手段は、動画像データを取得するための要求とともに送信される前記設定情報を前記受信装置から受信することを特徴とする請求項１〜１０のいずれか１項に記載の送信装置。
【請求項１２】
送信装置から動画像データを受信する受信装置であって、
動画像データを取得するための要求と、その要求に対応する、画像の一部又は全体の閲覧を制限するか決定するために用いる設定情報とを前記送信装置に送信する送信手段と、
前記設定情報に応じて前記送信装置から送信される、前記要求によって指定される前記動画像データを構成する画像の一部又は全体の閲覧が制限された動画像データ、又は、前記指定情報によって指定される前記動画像データを構成する画像の閲覧が制限されない動画像データを前記送信装置から受信する受信手段と
を有することを特徴とする受信装置。
【請求項１３】
動画像データを受信装置に送信する送信方法であって、
動画像データを取得するための要求と、その要求に対応する、画像の一部又は全体の閲覧を制限するか決定するために用いる設定情報とを受信する受信ステップと、
前記受信ステップにおいて受信される設定情報に応じて、前記要求によって指定される前記動画像データを構成する画像の一部又は全体の閲覧が制限された動画像データ、又は、前記要求によって指定される前記動画像データを構成する画像の閲覧が制限されない動画像データを受信装置に送信する送信ステップと
を有することを特徴とする送信方法。
【請求項１４】
送信装置から動画像データを受信する受信方法であって、
動画像データを取得するための要求と、その要求に対応する、画像の一部又は全体の閲覧を制限するか決定するために用いる設定情報とを前記送信装置に送信する送信ステップと、
前記設定情報に応じて前記送信装置から送信される、前記要求によって指定される前記動画像データを構成する画像の一部又は全体の閲覧が制限された動画像データ、又は、前記指定情報によって指定される前記動画像データを構成する画像の閲覧が制限されない動画像データを前記送信装置から受信する受信ステップと
を有することを特徴とする受信方法。
【請求項１５】
動画像データを受信装置に送信する送信装置のコンピュータを、
動画像データを取得するための要求と、その要求に対応する、画像の一部又は全体の閲覧を制限するか決定するために用いる設定情報とを受信する受信手段、
前記受信手段によって受信される前記設定情報に応じて、前記要求によって指定される前記動画像データを構成する画像の一部又は全体の閲覧が制限された動画像データ、又は、前記要求によって指定される前記動画像データを構成する画像の閲覧が制限されない動画像データを受信装置に送信する送信手段
として機能させるためのプログラム。
【請求項１６】
送信装置から動画像データを受信する受信装置のコンピュータを、
動画像データを取得するための要求と、その要求に対応する、画像の一部又は全体の閲覧を制限するか決定するために用いる設定情報とを前記送信装置に送信する送信手段と、
前記設定情報に応じて前記送信装置から送信される、前記要求によって指定される前記動画像データを構成する画像の一部又は全体の閲覧が制限された動画像データ、又は、前記指定情報によって指定される前記動画像データを構成する画像の閲覧が制限されない動画像データを前記送信装置から受信する受信手段と
として機能させるためのプログラム。
【手続補正２】
【補正対象書類名】明細書
【補正対象項目名】０００６
【補正方法】変更
【補正の内容】
【０００６】
上述の課題を解決するため、本発明にかかる送信装置は、動画像データを受信装置に送信する送信装置であって、動画像データを取得するための要求と、その要求に対応する、画像の一部又は全体の閲覧を制限するか決定するために用いる設定情報とを受信する受信手段と、前記受信手段によって受信される前記設定情報に応じて、前記要求によって指定される前記動画像データを構成する画像の一部又は全体の閲覧が制限された動画像データ、又は、前記要求によって指定される前記動画像データを構成する画像の閲覧が制限されない動画像データを受信装置に送信する送信手段とを有する。
【手続補正３】
【補正対象書類名】明細書
【補正対象項目名】０００７
【補正方法】変更
【補正の内容】
【０００７】
また上述の課題を解決するため、本発明にかかる受信装置は、送信装置から動画像データを受信する受信装置であって、動画像データを取得するための要求と、その要求に対応する、画像の一部又は全体の閲覧を制限するか決定するために用いる設定情報とを前記送信装置に送信する送信手段と、前記設定情報に応じて前記送信装置から送信される、前記要求によって指定される前記動画像データを構成する画像の一部又は全体の閲覧が制限された動画像データ、又は、前記指定情報によって指定される前記動画像データを構成する画像の閲覧が制限されない動画像データを前記送信装置から受信する受信手段とを有する。